(57)【要約】【課題】  対物レンズを含む光学素子のＤＶＤとＣＤの両方に用いられる領域において、レンズ面の一部を光軸方向にシフトさせる手段を用いて、ＤＶＤ，ＣＤ共に、ＲＭＳ波面収差と光線収差とを満足すること。【解決手段】  ＤＶＤ及びＣＤの光ピックアップ装置の光学系において、ＤＶＤとＣＤの両方に対して情報の記録及び／又は再生に用いられる領域を通過する光線に対して、ＤＶＤ上で球面収差がアンダー、ＣＤ上でオーバーになる屈折機能を有すると共に、光軸を中心とした複数の輪帯に分割され、隣り合う輪帯同士が、所定波長λｓ（λ１＜λｓ＜λ２）の略整数倍の光路差を生じるように、互いに光軸方向に変位して形成され、かつ光軸から周辺に向かうに従い、光線の光路長が次第に長くなるように形成されている光路差付与機能を有する。【選択図】      図４
2004234839.tif 000002
【特許請求の範囲】
【請求項１】
波長λ１の第１光源からの光束を、厚さｔ１の保護基板を介して第１光情報記録媒体の情報記録面に集光させることによって、情報の記録及び／又は再生が可能であると共に、波長λ２（λ１＜λ２）の第２光源からの光束を、厚さｔ２（ｔ１＜ｔ２）の保護基板を介して第２光情報記録媒体の情報記録面に集光させることによって、情報の記録及び／又は再生が可能な光ピックアップ装置の光学系において、
前記第１光情報記録媒体と前記第２光情報記録媒体の両方に対して情報の記録及び／
又は再生に用いられる領域を通過する光線に対して、
前記第１光情報記録媒体上で球面収差がアンダーになり、前記第２光情報記録媒体上で球面収差がオーバーになる屈折機能を有すると共に、
光軸を中心とした複数の輪帯に分割され、隣り合う輪帯同士が、所定波長λｓ（λ１＜λｓ＜λ２）の略整数倍の光路差を生じるように、互いに光軸方向に変位して形成され、
かつ光軸から周辺に向かうに従い、光線の光路長が次第に長くなるように形成されている光路差付与機能を有することを特徴とする光ピックアップ装置の光学系。
【請求項２】
波長λ１の第１光源からの光束を、厚さｔ１の保護基板を介して第１光情報記録媒体の情報記録面に集光させることによって、情報の記録及び／又は再生が可能であると共に、波長λ２（λ１＜λ２）の第２光源からの光束を、厚さｔ２（ｔ１＜ｔ２）の保護基板を介して第２光情報記録媒体の情報記録面に集光させることによって、情報の記録及び／又は再生が可能な光ピックアップ装置の光学系において、
前記第１光情報記録媒体と前記第２光情報記録媒体の両方に対して情報の記録及び／又は再生に用いられる領域を通過する光線に対して、
前記第１光情報記録媒体上で球面収差がオーバー又は最適になる屈折機能を有すると共に、
光軸を中心とした複数の輪帯に分割され、隣り合う輪帯同士が、所定波長λｓ（λ１＝λｓ）の略整数倍の光路差を生じるように、互いに光軸方向に変位して形成され、かつ光軸から周辺に向かうに従い、光線の光路長が次第に長くなるように形成されている光路差付与機能を有することを特徴とする光ピックアップ装置の光学系。
【請求項３】
波長λ１の第１光源からの光束を、厚さｔ１の保護基板を介して第１光情報記録媒体の情報記録面に集光させることによって、情報の記録及び／又は再生が可能であると共に、波長λ２（λ１＜λ２）の第２光源からの光束を、厚さｔ２（ｔ１＜ｔ２）の保護基板を介して第２光情報記録媒体の情報記録面に集光させることによって、情報の記録及び／又は再生が可能な光ピックアップ装置の光学系において、
前記第１光情報記録媒体と前記第２光情報記録媒体の両方に対して情報の記録及び／又は再生に用いられる領域を通過する光線に対して、
前記第１光情報記録媒体上で球面収差がアンダーになり、前記第２光情報記録媒体上で球面収差がオーバー又は最適になる屈折機能を有すると共に、
光軸を中心とした複数の輪帯に分割され、隣り合う輪帯同士が、所定波長λｓ（λｓ＝λ２）の略整数倍の光路差を生じるように、互いに光軸方向に変位して形成され、かつ光軸から周辺に向かうに従い、光線の光路長が次第に長くなるように形成されている光路差付与機能を有することを特徴とする光ピックアップ装置の光学系。
【請求項４】
前記光路差付与機能によって、前記第１光情報記録媒体上の球面収差と、前記第２光情報記録媒体上の球面収差とが、ともに最適になることを特徴とする請求項１乃至３の光ピックアップ装置の光学系。
【請求項５】
前記屈折機能によって、前記第１光情報記録媒体と前記第２光情報記録媒体の両方に対して情報の記録及び／又は再生に用いられる領域において、最も光軸から離れた位置を通過する前記第１光源からの光線は、近軸光線が光軸と交わる位置から０．０１３ｍｍ以内の領域で光軸と交わることを特徴とする請求項１記載の光ピックアップ装置の光学系。
【請求項６】
前記屈折機能によって、前記第１光情報記録媒体と前記第２光情報記録媒体の両方に対して情報の記録及び／又は再生に用いられる領域において、最も光軸から離れた位置を通過する前記第１光源からの光線は、近軸光線が光軸と交わる位置から０．０２０ｍｍ以内の領域で光軸と交わることを特徴とする請求項２記載の光ピックアップ装置の光学系。
【請求項７】
前記屈折機能によって、前記第１光情報記録媒体と前記第２光情報記録媒体の両方に対して情報の記録及び／又は再生に用いられる領域において、最も光軸から離れた位置を通過する前記第１光源からの光線は、近軸光線が光軸と交わる位置から０．０３０ｍｍ以内の領域で光軸と交わることを特徴とする請求項３記載の光ピックアップ装置の光学系。
【請求項８】
前記光学系は、前記屈折機能を有する光学素子と、これとは別に設けられた、前記光路差付与機能を有する光学素子とから構成されていることを特徴とする請求項１乃至７記載の光ピックアップ装置の光学系。
【請求項９】
前記光学系は、前記屈折機能と、前記光路差付与機能とを一体に備えた光学素子を含むことを特徴とする請求項１乃至７記載の光ピックアップ装置の光学系。
【請求項１０】
前記第１光情報記録媒体と前記第２光情報記録媒体の両方に対して情報の記録及び／又は再生に用いられる領域のうち、前記光路差付与機能を有する光学素子に形成された前記輪帯は、輪帯数が３〜７であることを特徴とする請求項１乃至９記載の光ピックアップ装置の光学系。
【請求項１１】
前記第１光情報記録媒体と前記第２光情報記録媒体の両方に対して情報の記録及び／又は再生に用いられる領域の前記光路差付与機能は、回折構造によって構成されていることを特徴とする請求項１乃至１０記載の光ピックアップ装置の光学系。
【請求項１２】
前記屈折機能によって球面収差がアンダーとなる前記第１光源からの光束及び前記屈折機能によって球面収差がオーバーとなる前記第２光源からの光束は、前記回折構造によって無収差となることを特徴とする請求項１１記載の光ピックアップ装置の光学系。
【請求項１３】
前記屈折機能によって球面収差がオーバーとなる前記第２光源からの光束は、前記回折構造によって無収差となることを特徴とする請求項１１記載の光ピックアップ装置の光学系。
【請求項１４】
前記屈折機能によって球面収差がアンダーとなる前記第１光源からの光束は、前記回折構造によって無収差となることを特徴とする請求項１１記載の光ピックアップ装置の光学系。
【請求項１５】
前記回折構造は、光軸からの垂直距離がｈである輪帯を通過する光線に対して、
【数１】
2004234839.tif 000009
m：回折次数、λ：使用波長 Ci：定数。少なくとも1つは  Ci≠0で表される光路長Φ(h)を付加するように形成されていることを特徴とする請求項１１乃至１４記載の光ピックアップ装置の光学系。
【請求項１６】
前記回折構造の輪帯数は、７〜１００であることを特徴とする請求項１１乃至１５記載の光ピックアップ装置の光学系。
【請求項１７】
前記回折構造の輪帯数は、１１〜３０であることを特徴とする請求項１１乃至１６記載の光ピックアップ装置の光学系。
【請求項１８】
前記光ピックアップ装置の光学系に含まれる光学素子の光学機能面のうち、前記第１光情報記録媒体と前記第２光情報記録媒体の両方に対して情報の記録及び／又は再生に用いられる領域の周辺に位置する、前記第１光情報記録媒体に対して情報の記録及び／又は再生に用いられる領域は、
屈折面からなることを特徴とする請求項１乃至１７記載の光ピックアップ装置の光学系。
【請求項１９】
前記光ピックアップ装置の光学系に含まれる光学素子の光学機能面のうち、前記第１光情報記録媒体と前記第２光情報記録媒体の両方に対して情報の記録及び／又は再生に用いられる領域の周辺に位置する、前記第１光情報記録媒体に対して情報の記録及び／又は再生に用いられる領域は、
前記第１光情報記録媒体上で球面収差がオーバー又は最適になる第２屈折機能を有すると共に、
光軸を中心とした複数の輪帯に分割され、隣り合う輪帯同士が、前記波長λ１の略整数倍の光路差を生じるように、互いに光軸方向に変位して形成され、かつ光軸から周辺に向かうに従い、光線の光路長が次第に長くなるように形成されている第２光路差付与機能を有することを特徴とする請求項１乃至１８記載の光ピックアップ装置の光学系。
【請求項２０】
前記第２光路差付与機能は、回折構造によって構成されていることを特徴とする請求項１９記載の光ピックアップ装置の光学系。
【請求項２１】
前記第２屈折機能によって球面収差がオーバーとなる前記第２光源からの光束は、前記第２光路差付与機能を構成する回折構造によってオーバーのままであることを特徴とする請求項２０記載の光ピックアップ装置の光学系。
【請求項２２】
前記第２光路差付与機能を構成する回折構造は、光軸からの垂直距離がｈである輪帯を通過する光線に対して、
【数２】
2004234839.tif 000010
m：回折次数、λ：使用波長 Ci：定数。少なくとも1つは  Ci≠0で表される光路長Φ(h)を付加するように形成されていることを特徴とする請求項２０乃至２１記載の光ピックアップ装置の光学系。
【請求項２３】
前記第２光路差付与機能を構成する前記回折構造の輪帯数は、７〜１００であることを特徴とする請求項２０乃至２２記載の光ピックアップ装置の光学系。
【請求項２４】
前記第２光路差付与機能を構成する前記回折構造の輪帯数は、１１〜３０であることを特徴とする請求項２０乃至２３記載の光ピックアップ装置の光学系。
【請求項２５】
波長λ１の第１光源からの光束を、厚さｔ１の保護基板を介して第１光情報記録媒体の情報記録面に集光させることによって、情報の記録及び／又は再生が可能であると共に、波長λ２（λ１＜λ２）の第２光源からの光束を、厚さｔ２（ｔ１＜ｔ２）の保護基板を介して第２光情報記録媒体の情報記録面に集光させることによって、情報の記録及び／又は再生が可能な光ピックアップ装置の光学系において、
前記光学系の光学機能面のうち、前記第１光情報記録媒体と前記第２光情報記録媒体の両方に対して情報の記録及び／又は再生に用いられる領域は、仮想的な母非球面屈折面による屈折機能と、光軸を中心とした複数の輪帯に分割し、隣り合う輪帯同士を所定波長λｓ（λ１＜λｓ＜λ２）の略整数倍の光路差を生じるように、互いに光軸方向に変位させて形成された光路差付与構造とを有し、
前記仮想的な母非球面屈折面は、前記第１光情報記録媒体上で球面収差がアンダーとなり、
前記第２光情報記録媒体上で球面収差がオーバーとなるように形成されていることを特徴とする光ピックアップ装置の光学系。
【請求項２６】
波長λ１の第１光源からの光束を、厚さｔ１の保護基板を介して第１光情報記録媒体の情報記録面に集光させることによって、情報の記録及び／又は再生が可能であると共に、波長λ２（λ１＜λ２）の第２光源からの光束を、厚さｔ２（ｔ１＜ｔ２）の保護基板を介して第２光情報記録媒体の情報記録面に集光させることによって、情報の記録及び／又は再生が可能な光ピックアップ装置の光学系において、
前記光ピックアップ装置に用いる光学素子の光学機能面のうち、前記第１光情報記録媒体と前記第２光情報記録媒体の両方に対して情報の記録及び／又は再生に用いられる領域は、仮想的な母非球面屈折面による屈折機能と、光軸を中心とした複数の輪帯に分割し、隣り合う輪帯同士を所定波長λｓ（λｓ＝λ１）の略整数倍の光路差を生じるように、互いに光軸方向に変位させて形成された光路差付与構造とを有し、
前記仮想的な母非球面屈折面は、前記第１光情報記録媒体上で球面収差がオーバーまたは最適となるように形成されていることを特徴とする光ピックアップ装置の光学系。
【請求項２７】
波長λ１の第１光源からの光束を、厚さｔ１の保護基板を介して第１光情報記録媒体の情報記録面に集光させることによって、情報の記録及び／又は再生が可能であると共に、波長λ２（λ１＜λ２）の第２光源からの光束を、厚さｔ２（ｔ１＜ｔ２）の保護基板を介して第２光情報記録媒体の情報記録面に集光させることによって、情報の記録及び／又は再生が可能な光ピックアップ装置の光学系において、
前記光ピックアップ装置に用いる光学素子の光学機能面のうち、前記第１光情報記録媒体の両方に対して情報の記録及び／又は再生に用いられる領域は、仮想的な母非球面屈折面による屈折機能と、光軸を中心とした複数の輪帯に分割し、隣り合う輪帯同士を所定波長λｓ（λｓ＝λ２）の略整数倍の光路差を生じるように、互いに光軸方向に変位させて形成された光路差付与構造とを有し、
前記仮想的な母非球面屈折面は、前記第１光情報記録媒体上で球面収差がアンダーとなり、
前記第２光情報記録媒体上で球面収差がオーバーまたは最適となるように形成されていることを特徴とする光ピックアップ装置の光学系。
【請求項２８】
前記光路差付与構造によって、前記第１光情報記録媒体上の球面収差と、前記第２光情報記録媒体上の球面収差とが、ともに最適になることを特徴とする請求項２５乃至２７の光ピックアップ装置の光学系。
【請求項２９】
前記仮想的な母非球面屈折面によって、前記第１光情報記録媒体と前記第２光情報記録媒体の両方に対して情報の記録及び／又は再生に用いられる屈折面領域において、最も光軸から離れた位置を通過する前記第１光源からの光線は、近軸光線が光軸と交わる位置から０．０１３ｍｍ以内の領域で光軸と交わることを特徴とする請求項２５記載の光ピックアップ装置の光学系。
【請求項３０】
前記仮想的な母非球面屈折面によって、前記第１光情報記録媒体と前記第２光情報記録媒体の両方に対して情報の記録及び／又は再生に用いられる屈折面領域において、最も光軸から離れた位置を通過する前記第１光源からの光線は、近軸光線が光軸と交わる位置から０．０２０ｍｍ以内の領域で光軸と交わることを特徴とする請求項２６記載の光ピックアップ装置の光学系。
【請求項３１】
前記仮想的な母非球面屈折面によって、前記第１光情報記録媒体と前記第２光情報記録媒体の両方に対して情報の記録及び／又は再生に用いられる屈折面領域において、最も光軸から離れた位置を通過する前記第１光源からの光線は、近軸光線が光軸と交わる位置から０．０３０ｍｍ以内の領域で光軸と交わることを特徴とする請求項２７記載の光ピックアップ装置の光学系。
【請求項３２】
前記光ピックアップ装置は、前記仮想的な母非球面屈折面と光学的に等価な屈折機能を有する光学素子と、これとは別に設けられた、前記光路差付与構造を有する光学素子とから構成されていることを特徴とする請求項２５乃至３１記載の光ピックアップ装置の光学系。
【請求項３３】
前記光ピックアップ装置は、前記仮想的な母非球面屈折面と光学的に等価な屈折機能と、前記光路差付与構造とを一体に備えた光学素子を含むことを特徴とする請求項２５乃至３２記載の光ピックアップ装置の光学系。
【請求項３４】
前記光路差付与構造は、前記輪帯数が３〜７であることを特徴とする請求項２５乃至３３記載の光ピックアップ装置の光学系。
【請求項３５】
前記光路差付与構造は、回折構造によって構成されていることを特徴とする請求項２５乃至３４記載の光ピックアップ装置の光学系。
【請求項３６】
前記仮想的な母非球面屈折面と光学的に等価な屈折機能によって球面収差がアンダーとなる前記第１光源からの光束及び前記屈折機能によって球面収差がオーバーとなる前記第２光源からの光束は、前記回折構造によって無収差となることを特徴とする請求項３５記載の光ピックアップ装置の光学系。
【請求項３７】
前記仮想的な母非球面屈折面と光学的に等価な屈折機能によって球面収差がアンダーとなる前記第１光源からの光束は、前記回折構造によって無収差となることを特徴とする請求項３５記載の光ピックアップ装置の光学系。
【請求項３８】
前記仮想的な母非球面屈折面と光学的に等価な屈折機能によって球面収差がオーバーとなる前記第２光源からの光束は、前記回折構造によって無収差となることを特徴とする請求項３５記載の光ピックアップ装置の光学系。
【請求項３９】
前記回折構造は、光軸からの垂直距離がｈである輪帯を通過する光線に対して、
【数３】
2004234839.tif 000011
m：回折次数、λ：使用波長 Ci：定数。少なくとも1つは  Ci≠0で表される光路長Φ(h)を付加するように形成されていることを特徴とする請求項３５乃至３８記載の光ピックアップ装置の光学系。
【請求項４０】
前記回折構造の輪帯数は、７〜１００であることを特徴とする請求項３５乃至３９記載の光ピックアップ装置の光学系。
【請求項４１】
前記回折構造の輪帯数は、１１〜３０であることを特徴とする請求項３５乃至４０記載の光ピックアップ装置の光学系。
【請求項４２】
前記光ピックアップ装置に含まれる光学素子の光学機能面のうち、前記第１光情報記録媒体と前記第２光情報記録媒体の両方に対して情報の記録及び／又は再生に用いられる領域の周辺に位置する、前記第１光情報記録媒体に対して情報の記録及び／又は再生に用いられる領域は、
屈折面からなることを特徴とする請求項２５乃至４１記載の光ピックアップ装置の光学系。
【請求項４３】
前記光ピックアップ装置に含まれる光学素子の光学機能面のうち、前記第１光情報記録媒体と前記第２光情報記録媒体の両方に対して情報の記録及び／又は再生に用いられる領域の周辺に位置する、前記第１光情報記録媒体に対して情報の記録及び／又は再生に用いられる領域は、
前記第１光情報記録媒体上で球面収差がオーバー又は最適になる第２屈折機能を有すると共に、
光軸を中心とした複数の輪帯に分割され、隣り合う輪帯同士が、前記波長λ１の略整数倍の光路差を生じるように、互いに光軸方向に変位して形成され、かつ光軸から周辺に向かうに従い、光線の光路長が次第に長くなるように形成されている第２光路差付与構造を有することを特徴とする請求項２５乃至４２記載の光ピックアップ装置の光学系。
【請求項４４】
前記第２光路差付与構造は、回折構造によって構成されていることを特徴とする請求項４３記載の光ピックアップ装置の光学系。
【請求項４５】
前記第２屈折機能によって球面収差がオーバーとなる前記第２光源からの光束は、前記第２光路差付与機能を構成する回折構造によってオーバーのままであることを特徴とする請求項４４記載の光ピックアップ装置の光学系。
【請求項４６】
前記第２光路差付与構造を構成する回折構造は、光軸からの垂直距離がｈである輪帯を通過する光線に対して、
【数４】
2004234839.tif 000012
m：回折次数、λ：使用波長 Ci：定数。少なくとも1つは  Ci≠0で表される光路長Φ(h)を付加するように形成されていることを特徴とする請求項４４乃至４５記載の光ピックアップ装置の光学系。
【請求項４７】
前記回折構造の輪帯数は、７〜１００であることを特徴とする請求項４４乃至４６記載の光ピックアップ装置の光学系。
【請求項４８】
前記回折構造の輪帯数は、１１〜３０であることを特徴とする請求項４４乃至４７記載の光ピックアップ装置の光学系。
【請求項４９】
波長λ１の第１光源からの光束を、厚さｔ１の保護基板を介して第１光情報記録媒体の情報記録面に集光させることによって、情報の記録及び／又は再生が可能であると共に、波長λ２（λ１＜λ２）の第２光源からの光束を、厚さｔ２（ｔ１＜ｔ２）の保護基板を介して第２光情報記録媒体の情報記録面に集光させることによって、情報の記録及び／又は再生が可能な光ピックアップ装置において、
前記光ピックアップ装置に含まれる対物レンズの光学機能面は光軸を中心とした複数の輪帯に分割され、隣り合う輪帯同士が、所定波長λｓの整数倍の光路差を生じるよう、光軸方向に変位して形成され、
当該輪帯が、７以上１００以下設けられていることを特徴とする光ピックアップ装置の光学系。
【請求項５０】
前記所定波長λｓは、λ１＜λｓ＜λ２の関係を満たすことを特徴とする請求項４９記載の光ピックアップ装置の光学系。
【請求項５１】
前記輪帯が、１１以上３０以下設けられていることを特徴とする請求項４９乃至５０記載の光ピックアップ装置の光学素子の光学系。
【請求項５２】
前記光学素子が、対物用光学素子であることを特徴とする請求項１乃至５１記載の光ピックアップ装置の光学素子の光学系。
【発明の詳細な説明】
【技術分野】
【０００１】
本発明は、光ピックアップ装置に使用される対物レンズ、光ピックアップ装置に関し、特に、異なる種類の光情報記録媒体に対して情報の記録及び／又は再生を行うことができる光ピックアップ装置用の対物レンズ及び光ピックアップ装置に関する。
【背景技術】
【０００２】
ＤＶＤとＣＤなど異なる種類の光情報記録媒体に対して情報を記録し、又再生することができる光ピックアップ装置が開発され、様々な用途で用いられている。このような光ピックアップ装置においては、両方の記憶媒体（以後、光ディスクともいう）に対して好適な情報の再生・記録が可能であることが求められる。
【０００３】
ここで、光ピックアップ装置の光源としては、半導体レーザが用いられているが、ＤＶＤに対して情報の記録又は再生に用いるための最適な波長は６３５ｎｍ又は６５０ｎｍ前後であり、ＣＤに対して情報の記録又は再生に用いるための最適な波長は７８０ｎｍ前後であることから、通常ＤＶＤ用の光源とＣＤ用の光源と２つ備えることが行われている。
【０００４】
また、ＣＤ−Ｒを含むＣＤ系の光情報記録媒体（以後、光ディスクともいう）の記録及び／又は再生のために、ＮＡ（開口数）が０．４５ないし０．５５の対物レンズ、及び、保護基板厚が１．２ｍｍの光ディスクが使用される。一方、ＤＶＤ系の光ディスクの記録及び／又は再生には、ＮＡが０．６ないし０．６５の対物レンズ、及び、保護基板厚が０．６ｍｍの光ディスクが使用される。
【０００５】
そのため、たとえばどちらか一方の波長や保護基板厚に特化したレンズを作成した場合、他方の保護基板厚に対して球面収差が発生してしまうという問題がある。
【０００６】
このような問題を解決し、好適な情報の記録・再生を可能とするために、様々な方法が提案されており、そのうちの１つとして位相補正方式がある。
【０００７】
これは輪帯位相補正対物レンズ方式と、対物レンズとは別に、基板上に複数の同心円状の輪帯面を形成した素子を配置する位相制御素子方式とに大別される。
【０００８】
輪帯位相補正対物レンズ方式は、例えば特開平１１−２７５９号や特開平１１−１６１９０号にその実施例が記載されている。
【０００９】
特開平１１−２７５９号に記載されているのは、上述の通り基本的な対物レンズの面形状をＤＶＤの記録再生において最適となるように設定し、ＣＤの記録再生のために位相補正方式による補正を行う場合である。つまりＤＶＤ系で波面収差が最小となるように設計された対物レンズの表面に輪帯状に段差を形成し、ＤＶＤ系での波面収差増大を抑制しつつＣＤ系での波面収差を減少させるものである。
【００１０】
この技術ではＤＶＤ波長に対して位相制御素子は位相分布をほとんど変化させないため、ＲＭＳ波面収差はＤＶＤ系に最適設計された対物レンズの値を維持し、ＣＤ系のＲＭＳ波面収差を低減するように作用するため、記録再生性能が波面収差に敏感なＤＶＤ系に対して有効である。
【００１１】
またこれとは逆に基本的な対物レンズの光学性能を、ＣＤの記録再生において最適となるように設定し、ＤＶＤの記録再生のために位相補正方式による補正を行う場合が特開平１０−３３４５０４号に記載されている。
【００１２】
これらは何れも、ＤＶＤの記録再生、ＣＤの記録再生共に、そのＲＭＳ（Root Mean Square）波面収差は改善されている。
【００１３】
輪帯位相補正対物レンズの場合、例えば特開平１１−１６１９０号には、ＣＤとＤＶＤとの中間の基板厚の光ディスクを想定して、このような光ディスクの記録再生に最適となるように基本的な対物レンズの面形状を設定し、さらに位相補正方式によりＤＶＤとＣＤの両方のＲＭＳ（Root Mean Square）波面収差補正を行う場合について記載されている。
【００１４】
また特開２００１−５１１９２号では、各輪帯の段差量と面形状とを変えることで、ＲＭＳ（Root Mean Square）波面収差を小さくし、光線の集光位置を一点にする技術が開示されている。
【特許文献１】特開平１１−２７５９号公報
【特許文献２】特開平１１−１６１９０号公報
【特許文献３】特開平１０−３３４５０４号公報
【特許文献４】特開２００１−５１１９２号公報
【発明の開示】
【発明が解決しようとする課題】
【００１５】
上記に挙げた各技術はいずれも対物レンズの面形状はＤＶＤ，ＣＤ，又はその中間厚の光ディスクを介して集光させた場合に光線収差が最適になるように設計され、その他の使用する光ディスクに対応するための補正技術として、レンズ面の一部を光軸方向にスライドさせて位相差を生ぜしめたり、あるいは位相差板を光路中に置いて位相補正を行うものである。
【００１６】
ピックアップレンズには、光ディスクからの情報を確実に記録再生するために、ＲＭＳ波面収差と、光ディスクのピット位置に光を集光させるため、Ｓ字特性及びフォーカスオフセットが良好であることが必要となる。Ｓ字特性及びフォーカスオフセットはピックアップレンズの光線収差に起因する特性である。
【００１７】
このような性能が必要である中で、上記の各技術ではいずれもレンズ面の一部を光軸方向にシフトすることで、ＤＶＤ，ＣＤ共にＲＭＳ波面収差を低減することを可能にしている。一方、光線収差はＤＶＤ，ＣＤを同時に補正することができない。
【００１８】
そこで本願発明は、対物レンズを含む光学素子のＤＶＤとＣＤの両方に用いられる領域において、レンズ面の一部を光軸方向にシフトするという同手段を用いながら、ＤＶＤ，ＣＤ共に、ＲＭＳ波面収差と光線収差を満足する技術を見出して実現されたものである。
【００１９】
とくに対物レンズを含む光学素子の光学機能面のうち、ＣＤとＤＶＤの両方に用いられる領域に着目し、この領域について球面収差を安定にし、かつマクロな波面を補正すれば、ＤＶＤ、ＣＤのそれぞれに対して好適な光学性能を達成できることを見いだして実現されたものである。
【００２０】
本願発明は、波長毎に異なる光路差を選択的に与え、それぞれの波長の光線を好適な球面収差状態にして、ＤＶＤとＣＤの互換を達成する技術を提供することを目的とする。
【課題を解決するための手段】
【００２１】
（１）波長λ１の第１光源からの光束を、厚さｔ１の保護基板を介して第１光情報記録媒体の情報記録面に集光させることによって、情報の記録及び／又は再生が可能であると共に、波長λ２（λ１＜λ２）の第２光源からの光束を、厚さｔ２（ｔ１＜ｔ２）の保護基板を介して第２光情報記録媒体の情報記録面に集光させることによって、情報の記録及び／又は再生が可能な光ピックアップ装置の光学系において、前記第１光情報記録媒体と前記第２光情報記録媒体の両方に対して情報の記録及び／又は再生に用いられる領域を通過する光線に対して、前記第１光情報記録媒体上で球面収差がアンダーになり、前記第２光情報記録媒体上で球面収差がオーバーになる屈折機能を有すると共に、光軸を中心とした複数の輪帯に分割され、隣り合う輪帯同士が、所定波長λｓ（λ１＜λｓ＜λ２）の略整数倍の光路差を生じるように、互いに光軸方向に変位して形成され、かつ光軸から周辺に向かうに従い、光線の光路長が次第に長くなるように形成されている光路差付与機能を有することを特徴とする光ピックアップ装置の光学系。
（２）波長λ１の第１光源からの光束を、厚さｔ１の保護基板を介して第１光情報記録媒体の情報記録面に集光させることによって、情報の記録及び／又は再生が可能であると共に、波長λ２（λ１＜λ２）の第２光源からの光束を、厚さｔ２（ｔ１＜ｔ２）の保護基板を介して第２光情報記録媒体の情報記録面に集光させることによって、情報の記録及び／又は再生が可能な光ピックアップ装置の光学系において、前記第１光情報記録媒体と前記第２光情報記録媒体の両方に対して情報の記録及び／又は再生に用いられる領域を通過する光線に対して、前記第１光情報記録媒体上で球面収差がオーバー又は最適になる屈折機能を有すると共に、光軸を中心とした複数の輪帯に分割され、隣り合う輪帯同士が、所定波長λｓ（λ１＝λｓ）の略整数倍の光路差を生じるように、互いに光軸方向に変位して形成され、かつ光軸から周辺に向かうに従い、光線の光路長が次第に長くなるように形成されている光路差付与機能を有することを特徴とする光ピックアップ装置の光学系。
（３）波長λ１の第１光源からの光束を、厚さｔ１の保護基板を介して第１光情報記録媒体の情報記録面に集光させることによって、情報の記録及び／又は再生が可能であると共に、波長λ２（λ１＜λ２）の第２光源からの光束を、厚さｔ２（ｔ１＜ｔ２）の保護基板を介して第２光情報記録媒体の情報記録面に集光させることによって、情報の記録及び／又は再生が可能な光ピックアップ装置の光学系において、前記第１光情報記録媒体と前記第２光情報記録媒体の両方に対して情報の記録及び／又は再生に用いられる領域を通過する光線に対して、前記第１光情報記録媒体上で球面収差がアンダーになり、前記第２光情報記録媒体上で球面収差がオーバー又は最適になる屈折機能を有すると共に、光軸を中心とした複数の輪帯に分割され、隣り合う輪帯同士が、所定波長λｓ（λｓ＝λ２）の略整数倍の光路差を生じるように、互いに光軸方向に変位して形成され、かつ光軸から周辺に向かうに従い、光線の光路長が次第に長くなるように形成されている光路差付与機能を有することを特徴とする光ピックアップ装置の光学系。
（４）前記光路差付与機能によって、前記第１光情報記録媒体上の球面収差と、前記第２光情報記録媒体上の球面収差とが、ともに最適になることを特徴とする１乃至３の光ピックアップ装置の光学系。
（５）前記屈折機能によって、前記第１光情報記録媒体と前記第２光情報記録媒体の両方に対して情報の記録及び／又は再生に用いられる領域において、最も光軸から離れた位置を通過する前記第１光源からの光線は、近軸光線が光軸と交わる位置から０．０１３ｍｍ以内の領域で光軸と交わることを特徴とする１記載の光ピックアップ装置の光学系。
（６）前記屈折機能によって、前記第１光情報記録媒体と前記第２光情報記録媒体の両方に対して情報の記録及び／又は再生に用いられる領域において、最も光軸から離れた位置を通過する前記第１光源からの光線は、近軸光線が光軸と交わる位置から０．０２０ｍｍ以内の領域で光軸と交わることを特徴とする２記載の光ピックアップ装置の光学系。
（７）前記屈折機能によって、前記第１光情報記録媒体と前記第２光情報記録媒体の両方に対して情報の記録及び／又は再生に用いられる領域において、最も光軸から離れた位置を通過する前記第１光源からの光線は、近軸光線が光軸と交わる位置から０．０３０ｍｍ以内の領域で光軸と交わることを特徴とする３記載の光ピックアップ装置の光学系。
（８）前記光学系は、前記屈折機能を有する光学素子と、これとは別に設けられた、前記光路差付与機能を有する光学素子とから構成されていることを特徴とする１乃至７記載の光ピックアップ装置の光学系。
（９）前記光学系は、前記屈折機能と、前記光路差付与機能とを一体に備えた光学素子を含むことを特徴とする１乃至７記載の光ピックアップ装置の光学系。
（１０）前記第１光情報記録媒体と前記第２光情報記録媒体の両方に対して情報の記録及び／又は再生に用いられる領域のうち、前記光路差付与機能を有する光学素子に形成された前記輪帯は、輪帯数が３〜７であることを特徴とする１乃至９記載の光ピックアップ装置の光学系。
（１１）前記第１光情報記録媒体と前記第２光情報記録媒体の両方に対して情報の記録及び／又は再生に用いられる領域の前記光路差付与機能は、回折構造によって構成されていることを特徴とする１乃至１０記載の光ピックアップ装置の光学系。
（１２）前記屈折機能によって球面収差がアンダーとなる前記第１光源からの光束及び前記屈折機能によって球面収差がオーバーとなる前記第２光源からの光束は、前記回折構造によって無収差となることを特徴とする１１記載の光ピックアップ装置の光学系。
（１３）前記屈折機能によって球面収差がオーバーとなる前記第２光源からの光束は、前記回折構造によって無収差となることを特徴とする１１記載の光ピックアップ装置の光学系。
（１４）前記屈折機能によって球面収差がアンダーとなる前記第１光源からの光束は、前記回折構造によって無収差となることを特徴とする１１記載の光ピックアップ装置の光学系。
（１５）前記回折構造は、光軸からの垂直距離がｈである輪帯を通過する光線に対して、
【００２２】
【数１】
2004234839.tif 000003
【００２３】
m：回折次数、λ：使用波長 Ci：定数。少なくとも1つは  Ci≠0で表される光路長Φ(h)を付加するように形成されていることを特徴とする１１乃至１４記載の光ピックアップ装置の光学系。
（１６）前記回折構造の輪帯数は、７〜１００であることを特徴とする１１乃至１５記載の光ピックアップ装置の光学系。
（１７）前記回折構造の輪帯数は、１１〜３０であることを特徴とする１１乃至１６記載の光ピックアップ装置の光学系。
（１８）前記光ピックアップ装置の光学系に含まれる光学素子の光学機能面のうち、前記第１光情報記録媒体と前記第２光情報記録媒体の両方に対して情報の記録及び／又は再生に用いられる領域の周辺に位置する、前記第１光情報記録媒体に対して情報の記録及び／又は再生に用いられる領域は、屈折面からなることを特徴とする１乃至１７記載の光ピックアップ装置の光学系。
（１９）前記光ピックアップ装置の光学系に含まれる光学素子の光学機能面のうち、前記第１光情報記録媒体と前記第２光情報記録媒体の両方に対して情報の記録及び／又は再生に用いられる領域の周辺に位置する、前記第１光情報記録媒体に対して情報の記録及び／又は再生に用いられる領域は、前記第１光情報記録媒体上で球面収差がオーバー又は最適になる第２屈折機能を有すると共に、光軸を中心とした複数の輪帯に分割され、隣り合う輪帯同士が、前記波長λ１の略整数倍の光路差を生じるように、互いに光軸方向に変位して形成され、かつ光軸から周辺に向かうに従い、光線の光路長が次第に長くなるように形成されている第２光路差付与機能を有することを特徴とする１乃至１８記載の光ピックアップ装置の光学系。
（２０）前記第２光路差付与機能は、回折構造によって構成されていることを特徴とする１９記載の光ピックアップ装置の光学系。
（２１）前記第２屈折機能によって球面収差がオーバーとなる前記第２光源からの光束は、前記第２光路差付与機能を構成する回折構造によってオーバーのままであることを特徴とする２０記載の光ピックアップ装置の光学系。
（２２）前記第２光路差付与機能を構成する回折構造は、光軸からの垂直距離がｈである輪帯を通過する光線に対して、
【００２４】
【数２】
2004234839.tif 000004
【００２５】
m：回折次数、λ：使用波長 Ci：定数。少なくとも1つは  Ci≠0で表される光路長Φ(h)を付加するように形成されていることを特徴とする２０乃至２１記載の光ピックアップ装置の光学系。
（２３）前記第２光路差付与機能を構成する前記回折構造の輪帯数は、７〜１００であることを特徴とする２０乃至２２記載の光ピックアップ装置の光学系。
（２４）前記第２光路差付与機能を構成する前記回折構造の輪帯数は、１１〜３０であることを特徴とする２０乃至２３記載の光ピックアップ装置の光学系。
（２５）波長λ１の第１光源からの光束を、厚さｔ１の保護基板を介して第１光情報記録媒体の情報記録面に集光させることによって、情報の記録及び／又は再生が可能であると共に、波長λ２（λ１＜λ２）の第２光源からの光束を、厚さｔ２（ｔ１＜ｔ２）の保護基板を介して第２光情報記録媒体の情報記録面に集光させることによって、情報の記録及び／又は再生が可能な光ピックアップ装置の光学系において、前記光学系の光学機能面のうち、前記第１光情報記録媒体と前記第２光情報記録媒体の両方に対して情報の記録及び／又は再生に用いられる領域は、仮想的な母非球面屈折面による屈折機能と、光軸を中心とした複数の輪帯に分割し、隣り合う輪帯同士を所定波長λｓ（λ１＜λｓ＜λ２）の略整数倍の光路差を生じるように、互いに光軸方向に変位させて形成された光路差付与構造とを有し、前記仮想的な母非球面屈折面は、前記第１光情報記録媒体上で球面収差がアンダーとなり、前記第２光情報記録媒体上で球面収差がオーバーとなるように形成されていることを特徴とする光ピックアップ装置の光学系。
（２６）波長λ１の第１光源からの光束を、厚さｔ１の保護基板を介して第１光情報記録媒体の情報記録面に集光させることによって、情報の記録及び／又は再生が可能であると共に、波長λ２（λ１＜λ２）の第２光源からの光束を、厚さｔ２（ｔ１＜ｔ２）の保護基板を介して第２光情報記録媒体の情報記録面に集光させることによって、情報の記録及び／又は再生が可能な光ピックアップ装置の光学系において、前記光ピックアップ装置に用いる光学素子の光学機能面のうち、前記第１光情報記録媒体と前記第２光情報記録媒体の両方に対して情報の記録及び／又は再生に用いられる領域は、仮想的な母非球面屈折面による屈折機能と、光軸を中心とした複数の輪帯に分割し、隣り合う輪帯同士を所定波長λｓ（λｓ＝λ１）の略整数倍の光路差を生じるように、互いに光軸方向に変位させて形成された光路差付与構造とを有し、前記仮想的な母非球面屈折面は、前記第１光情報記録媒体上で球面収差がオーバーまたは最適となるように形成されていることを特徴とする光ピックアップ装置の光学系。
（２７）波長λ１の第１光源からの光束を、厚さｔ１の保護基板を介して第１光情報記録媒体の情報記録面に集光させることによって、情報の記録及び／又は再生が可能であると共に、波長λ２（λ１＜λ２）の第２光源からの光束を、厚さｔ２（ｔ１＜ｔ２）の保護基板を介して第２光情報記録媒体の情報記録面に集光させることによって、情報の記録及び／又は再生が可能な光ピックアップ装置の光学系において、前記光ピックアップ装置に用いる光学素子の光学機能面のうち、前記第１光情報記録媒体の両方に対して情報の記録及び／又は再生に用いられる領域は、仮想的な母非球面屈折面による屈折機能と、光軸を中心とした複数の輪帯に分割し、隣り合う輪帯同士を所定波長λｓ（λｓ＝λ２）の略整数倍の光路差を生じるように、互いに光軸方向に変位させて形成された光路差付与構造とを有し、前記仮想的な母非球面屈折面は、前記第１光情報記録媒体上で球面収差がアンダーとなり、前記第２光情報記録媒体上で球面収差がオーバーまたは最適となるように形成されていることを特徴とする光ピックアップ装置の光学系。
（２８）前記光路差付与構造によって、前記第１光情報記録媒体上の球面収差と、前記第２光情報記録媒体上の球面収差とが、ともに最適になることを特徴とする２５乃至２７の光ピックアップ装置の光学系。
（２９）前記仮想的な母非球面屈折面によって、前記第１光情報記録媒体と前記第２光情報記録媒体の両方に対して情報の記録及び／又は再生に用いられる屈折面領域において、最も光軸から離れた位置を通過する前記第１光源からの光線は、近軸光線が光軸と交わる位置から０．０１３ｍｍ以内の領域で光軸と交わることを特徴とする２５記載の光ピックアップ装置の光学系。
（３０）前記仮想的な母非球面屈折面によって、前記第１光情報記録媒体と前記第２光情報記録媒体の両方に対して情報の記録及び／又は再生に用いられる屈折面領域において、最も光軸から離れた位置を通過する前記第１光源からの光線は、近軸光線が光軸と交わる位置から０．０２０ｍｍ以内の領域で光軸と交わることを特徴とする２６記載の光ピックアップ装置の光学系。
（３１）前記仮想的な母非球面屈折面によって、前記第１光情報記録媒体と前記第２光情報記録媒体の両方に対して情報の記録及び／又は再生に用いられる屈折面領域において、最も光軸から離れた位置を通過する前記第１光源からの光線は、近軸光線が光軸と交わる位置から０．０３０ｍｍ以内の領域で光軸と交わることを特徴とする２７記載の光ピックアップ装置の光学系。
（３２）前記光ピックアップ装置は、前記仮想的な母非球面屈折面と光学的に等価な屈折機能を有する光学素子と、これとは別に設けられた、前記光路差付与構造を有する光学素子とから構成されていることを特徴とする２５乃至３１記載の光ピックアップ装置の光学系。
（３３）前記光ピックアップ装置は、前記仮想的な母非球面屈折面と光学的に等価な屈折機能と、前記光路差付与構造とを一体に備えた光学素子を含むことを特徴とする２５乃至３２記載の光ピックアップ装置の光学系。
（３４）前記光路差付与構造は、前記輪帯数が３〜７であることを特徴とする２５乃至３３記載の光ピックアップ装置の光学系。
（３５）前記光路差付与構造は、回折構造によって構成されていることを特徴とする２５乃至３４記載の光ピックアップ装置の光学系。
（３６）前記仮想的な母非球面屈折面と光学的に等価な屈折機能によって球面収差がアンダーとなる前記第１光源からの光束及び前記屈折機能によって球面収差がオーバーとなる前記第２光源からの光束は、前記回折構造によって無収差となることを特徴とする３５記載の光ピックアップ装置の光学系。
（３７）前記仮想的な母非球面屈折面と光学的に等価な屈折機能によって球面収差がアンダーとなる前記第１光源からの光束は、前記回折構造によって無収差となることを特徴とする３５記載の光ピックアップ装置の光学系。
（３８）前記仮想的な母非球面屈折面と光学的に等価な屈折機能によって球面収差がオーバーとなる前記第２光源からの光束は、前記回折構造によって無収差となることを特徴とする３５記載の光ピックアップ装置の光学系。
（３９）前記回折構造は、光軸からの垂直距離がｈである輪帯を通過する光線に対して、
【００２６】
【数３】
2004234839.tif 000005
【００２７】
m：回折次数、λ：使用波長 Ci：定数。少なくとも1つは  Ci≠0で表される光路長Φ(h)を付加するように形成されていることを特徴とする３５乃至３８記載の光ピックアップ装置の光学系。
（４０）前記回折構造の輪帯数は、７〜１００であることを特徴とする３５乃至３９記載の光ピックアップ装置の光学系。
（４１）前記回折構造の輪帯数は、１１〜３０であることを特徴とする３５乃至４０記載の光ピックアップ装置の光学系。
（４２）前記光ピックアップ装置に含まれる光学素子の光学機能面のうち、前記第１光情報記録媒体と前記第２光情報記録媒体の両方に対して情報の記録及び／又は再生に用いられる領域の周辺に位置する、前記第１光情報記録媒体に対して情報の記録及び／又は再生に用いられる領域は、屈折面からなることを特徴とする２５乃至４１記載の光ピックアップ装置の光学系。
（４３）前記光ピックアップ装置に含まれる光学素子の光学機能面のうち、前記第１光情報記録媒体と前記第２光情報記録媒体の両方に対して情報の記録及び／又は再生に用いられる領域の周辺に位置する、前記第１光情報記録媒体に対して情報の記録及び／又は再生に用いられる領域は、前記第１光情報記録媒体上で球面収差がオーバー又は最適になる第２屈折機能を有すると共に、光軸を中心とした複数の輪帯に分割され、隣り合う輪帯同士が、前記波長λ１の略整数倍の光路差を生じるように、互いに光軸方向に変位して形成され、かつ光軸から周辺に向かうに従い、光線の光路長が次第に長くなるように形成されている第２光路差付与構造を有することを特徴とする２５乃至４２記載の光ピックアップ装置の光学系。
（４４）前記第２光路差付与構造は、回折構造によって構成されていることを特徴とする４３記載の光ピックアップ装置の光学系。
（４５）前記第２屈折機能によって球面収差がオーバーとなる前記第２光源からの光束は、前記第２光路差付与機能を構成する回折構造によってオーバーのままであることを特徴とする４４記載の光ピックアップ装置の光学系。
（４６）前記第２光路差付与構造を構成する回折構造は、光軸からの垂直距離がｈである輪帯を通過する光線に対して、
【００２８】
【数４】
2004234839.tif 000006
【００２９】
m：回折次数、λ：使用波長 Ci：定数。少なくとも1つは  Ci≠0で表される光路長Φ(h)を付加するように形成されていることを特徴とする４４乃至４５記載の光ピックアップ装置の光学系。
（４７）前記回折構造の輪帯数は、７〜１００であることを特徴とする４４乃至４６記載の光ピックアップ装置の光学系。
（４８）前記回折構造の輪帯数は、１１〜３０であることを特徴とする４４乃至４７記載の光ピックアップ装置の光学系。
（４９）波長λ１の第１光源からの光束を、厚さｔ１の保護基板を介して第１光情報記録媒体の情報記録面に集光させることによって、情報の記録及び／又は再生が可能であると共に、波長λ２（λ１＜λ２）の第２光源からの光束を、厚さｔ２（ｔ１＜ｔ２）の保護基板を介して第２光情報記録媒体の情報記録面に集光させることによって、情報の記録及び／又は再生が可能な光ピックアップ装置において、前記光ピックアップ装置に含まれる対物レンズの光学機能面は光軸を中心とした複数の輪帯に分割され、隣り合う輪帯同士が、所定波長λｓの整数倍の光路差を生じるよう、光軸方向に変位して形成され、当該輪帯が、７以上１００以下設けられていることを特徴とする光ピックアップ装置の光学系。
（５０）前記所定波長λｓは、λ１＜λｓ＜λ２の関係を満たすことを特徴とする４９記載の光ピックアップ装置の光学系。
（５１）前記輪帯が、１１以上３０以下設けられていることを特徴とする４９乃至５０記載の光ピックアップ装置の光学素子の光学系。
（５２）前記光学素子が、対物用光学素子であることを特徴とする１乃至５１記載の光ピックアップ装置の光学素子の光学系。
【発明の効果】
【００３０】
以上、請求項１または２５の発明によれば、母非球面（屈折面）による共有領域の球面収差が、λ１についてはアンダー、λ２についてはオーバーであったものが、所定波長λｓ（λ１＜λｓ＜λ２）の略整数倍の光路差を生じる光路差付与機能（光路差付与構造）によってそれぞれ無収差状態となり、共有領域では良好な波面を得ることが出来る。
【００３１】
請求項２または２６の発明によれば、母非球面（屈折面）による共有領域の球面収差が、λ１についてはオーバー又は最適、λ２についてはオーバーであったものが、所定波長λｓ（λ１＝λｓ）の略整数倍の光路差を生じる光路差付与機能（光路差付与構造）によって無収差状態となり、共有領域では良好な波面を得ることが出来る。
【００３２】
請求項３または２７の発明によれば、母非球面（屈折面）による共有領域の球面収差が、λ１についてはアンダー、λ２についてはオーバー又は最適であったものが、所定波長λｓ（λｓ＝λ２）の略整数倍の光路差を生じる光路差付与機能（光路差付与構造）によって無収差状態となり、共有領域では良好な波面を得ることが出来る。
【００３３】
請求項４および請求項２８の発明によれば、屈折作用を受けた後、光路差付与作用を受けた光束がそれぞれ最適な収差状態になるため、共有領域で良好な波面を得ることが出来る。
【００３４】
請求項５および請求項２９の発明によれば、共用領域の境界を通過する波長λ１の光線が、屈折機能によって近軸光線が光軸と交わる位置から０．０１３ｍｍ以内の領域で交わるため、光路差付与機能が加わると波長λ１、λ２で共に無収差となる。
【００３５】
請求項６および請求項３０の発明によれば、共用領域の境界を通過する波長λ１の光線が、屈折機能によって近軸光線が光軸と交わる位置から０．０２０ｍｍ以内の領域で交わるため、光路差付与機能が加わると波長λ１、λ２で共に無収差となる。
【００３６】
請求項７および請求項３１の発明によれば、共用領域の境界を通過する波長λ１の光線が、屈折機能によって近軸光線が光軸と交わる位置から０．０３０ｍｍ以内の領域で交わるため、光路差付与機能が加わると波長λ１、λ２で共に無収差となる。
【００３７】
請求項８および請求項３２の発明によれば、母非球面（屈折面）と光路差付与機能（光路差付与構造）とが別体に形成されているので、各々複雑な形状を形成しやすいという利点がある。
【００３８】
請求項９および請求項３３の発明によれば、母非球面（屈折面）と光路差付与機能（光路差付与構造）とが一体に形成されているので、位置合わせのための精度出しなどの手間が掛からず、単一の素子で取り扱いやすい光ピックアップ装置の光学素子を得ることが出来る。
【００３９】
請求項１０および請求項３４の発明によれば、光路差付与構造（光路差付与機能）を有する輪帯数が３〜７であるので、成形が容易で収差性能を達成することができる。
【００４０】
請求項１１および請求項３５の発明によれば、光路差付与機能（光路差付与構造）が回折構造によって与えられるので、回折光効果を得ることができ、スポットの集光効率が高くなる。
【００４１】
請求項１２および請求項３６の発明、請求項１３および請求項３７の発明、請求項１４および請求項３８の発明によれば、回折構造により無収差になるので、ＤＶＤ、ＣＤのいずれに対しても収差がなく、スポットの集光効率が高い光学素子を提供できる。
【００４２】
請求項１５および請求項３９の発明によれば、ＤＶＤ／ＣＤ共通領域を通過する光が集光スポットに寄与する効率は高くなる。
【００４３】
請求項１６および請求項４０の発明、請求項１７および請求項４１の発明によれば、回折効果を得るのに適度な輪帯数であり、かつ多すぎる輪帯数でもないため、成形が容易に行える。
【００４４】
請求項１８および請求項４２の発明によれば、周辺領域が屈折面から構成されているため、形成が容易である。
【００４５】
請求項１９および請求項４３の発明によれば、周辺領域（ＤＶＤのみに用いられる専用領域）をＤＶＤ用の波長では最適な球面収差になり、ＣＤ用の波長では球面収差がオーバーになるような屈折面にしてあり、かつ周辺領域には共用領域とは別の光路差付与機能（光路差付与構造）を設けているので、ＣＤ用の波長は無収差状態になるような作用をうける。
【００４６】
請求項２０および請求項４４の発明によれば、周辺領域の光路差付与機能は回折構造であるので、ＤＶＤ専用領域を通過する光が集光スポットに寄与する効率は高くなる。
【００４７】
請求項２１および請求項４５の発明によれば、回折構造により無収差になるので、ＣＤ用の波長に対しても収差がなく、スポットの集光効率が高い光学素子を提供できる。
【００４８】
請求項２２および請求項４６の発明によれば、ＤＶＤ／ＣＤ共通領域を通過する光が集光スポットに寄与する効率は高くなる。
【００４９】
請求項２３および請求項４７の発明、請求項２４および請求項４８の発明によれば、回折効果を得るのに適度な輪帯数であり、かつ多すぎる輪帯数でもないため、成形が容易に行える。
【００５０】
請求項４９の発明によれば、各々の屈折面に対応した位相差板における領域では、光軸方向から離れるに従って光線の光路長が長くなるように形成されているため、球面収差、波面収差共に補正される。
【００５１】
請求項５０の発明によれば、所定波長λｓがλ１＜λｓ＜λ２の関係を満たすので、好適に収差の補正が行われる。
【００５２】
請求項５１の発明によれば、輪帯数が適度な輪帯数であり、かつ多すぎる輪帯数でもないため、成形が容易に行える。
【００５３】
請求項５２の発明によれば、無収差でスポット効率の良い光ピックアップ装置の光学素子を得ることが出来る。
【発明を実施するための最良の形態】
【００５４】
以下図面に基づいて本発明の内容を詳細に説明するが、本発明の実施形態はこれらに限定されるものではない。
（第１の実施の形態）
最初に、第１の本発明の光学的作用の概要について図１、２乃至図４を用いて説明する。
【００５５】
これは請求項１または請求項２５の発明に関するものである。
【００５６】
図１中、１は屈折面である母非球面を有するレンズ、２は光路差付与機能を有する位相差板であり、両方が組み合わされることにより、ＤＶＤ／ＣＤの両方に対して情報の記録及び／又は再生が可能な光ピックアップ光学系の対物用光学系を構成している。図示しない光源は、ＤＶＤに対して情報の記録及び／又は再生を行う光源は６５５ｎｍ（λ１）、ＣＤに対して情報の記録及び／又は再生を行う光源は７８５ｎｍ（λ２）のものを使用している。
【００５７】
レンズ１の光学機能面のうち、光軸を中心としたＮＡ（開口数）０．４５の領域は、ＤＶＤ／ＣＤの両方に対して情報の記録及び／又は再生を行うのに用いられる共用領域Ａであり、その周辺に位置するＮＡ（開口数）０．４５〜０．６の領域は、ＤＶＤのみに対して情報の記録及び／又は再生を行うのに用いられる専用領域Ｂとなっている。
【００５８】
この例におけるレンズ１は、λ１、λ２の両方に対して球面収差が生じるような屈折面（非球面）が形成されている。具体的には、図２（a）に示すように、レンズ１単独に対して光線を通過させた場合、共用領域Ａを通過したλ１の光束は、球面収差がアンダーになり、λ２の光束は、球面収差がオーバーになるような屈折面が形成されている。
【００５９】
２の位相差板は、光軸を中心とした複数の同心円状の輪帯に分割されていて、光軸から離れるに従って、厚みが増すように形成されている。それらの輪帯間の段差は、ある輪帯を通過する光束と、その隣の輪帯を通過する光束とが、所定波長の略整数倍の光路差を生じるが、波面ずれが生じない長さに設定されている。ここで所定波長は、λ１とλ２との中間の波長に設定してある。
【００６０】
このため、この位相差板に波長λ１の波面が入射すると、同位相の波面を結んだ包落線を新たな波面とする光線は収束光となり、他方、この位相差板に波長λ２の波面が入射すると、同位相の波面を結んだ包落線を新たな波面とする光線は発散光になるようにすることができる。
【００６１】
よって、レンズ１と位相差板２とを組み合わせて一つの光学系としてみた場合、図４（a）に示すように、レンズ１の共用領域Ａを通過した光束についてみると、波長λ１の光束は当初非球面によって球面収差がアンダーであったところ、位相差板２の作用によって球面収差がオーバーとなる作用をうけ、無収差状態に近づけられ、最適な球面収差状態となる。
【００６２】
そして波長λ２の光束は当初非球面によって球面収差がオーバーであったところ、位相差板２の作用によって球面収差がアンダーとなる作用をうけ、無収差状態に近づけられ、最適な球面収差状態となり、いずれの波長の光束も好適な球面収差を得ることが出来る。一方、屈折機能と光路差付与機能を対物レンズに一体化した場合のレンズ形状を示したのが図１０である。図２（b）はこの対物レンズの屈折機能による波長λ１とλ２の光束の球面収差であり、図４（b）は対物レンズを通過した光束の最終的な波長λ１とλ２の光束の球面収差を表している。そして所定波長がλ１とλ２の中間の波長である場合に、波長λ１、λ２で共に無収差となるための屈折面形状は特定される。共用領域の境界を通過する波長λ１の光線が、近軸光線が光軸と交わる位置から０．０１３ｍｍ以内の領域で交わるように設計されるのが望ましい。これらの光学的作用を請求項１の文言にあてはめると、レンズ１が「屈折機能」を有しており、位相差板２が「光路差付与機能」を有している。
【００６３】
屈折機能と光路差付与機能を対物レンズに一体化した場合、屈折機能を有する母非球面の面形状を、単に光路長分、光軸方向にシフトさせてしまうことにより、単体の光学素子として両方の光学的作用を兼ね備えるものが得られる場合があるが、開口数が大きくなると、光路長を厳密に考慮する必要があるため、単に光軸方向に面を移動させただけでは意味をなさない場合がある。このような場合、屈折面の形状をも変化させて、当初の屈折機能と光路差付与機能とを両立させる。
【００６４】
そして光路差付与機能、あるいは光路差付与構造を有する共用領域Ａの輪帯数は、３〜７であることが好ましい。
【００６５】
輪帯数がこれより少ないと、位相差板を通過した波面は同位相の波面を結ぶ包落線で近似することができないため、特に光線収差性能が未達になる恐れがある。逆に輪帯数が増えると、光軸から離れるに従い輪帯の幅が小さくなり成形が困難となる。
【００６６】
この光学機能はいわゆる回折構造であっても良い。回折構造の場合は上記性能を満足しながら、付与される光路差が全領域でなだらかに変化するよう輪帯の各面形状を変化させているため、スポットの集光効率が高い。
【００６７】
具体的には回折構造の場合、レンズ入射面において光軸からの垂直距離がｈである入射光線に対して、
【００６８】
【数５】
2004234839.tif 000007
【００６９】
m：回折次数、λ：使用波長 Ci：定数。少なくとも1つは  Ci≠0で表される光路長を付加するように形成されていることにより、無収差とすることができる。
【００７０】
またこのような回折構造を形成する場合の輪帯数は、７〜１００、好ましくは１１〜３０である。
【００７１】
回折構造による回折作用を十分に得るためには、輪帯数が少なくては不十分であり、逆に多すぎると精度が低下して光学的性能を達成できなくなる。専用領域Ｂにおいても、共用領域Ａと同様効果をもつレンズ１の屈折面が形成され、共用領域Ａと同様効果をもつ位相差板２とが設けられている場合、波長λ１、λ２で共に無収差となる。この場合には波長λ２の光線が入射しないように、波長λ１の光はそのまま透過し波長λ２の光を遮断するような波長選択性素子を位相差板より光源側に設けたり、あるいは位相差板に一体化して、ＤＶＤとＣＤのＮＡの違いを満足することができる。また波長選択性素子を用いず、ＤＶＤとＣＤのＮＡの違いを満足することもできる。専用領域Ｂのレンズ１の屈折面は、図３（a）のように、波長λ１では球面収差が無収差、波長λ２では球面収差がオーバーであるように形成されていても良い。専用領域Ｂの位相差板は上記所定波長がλ１であれば、位相差板によって波長λ１の光束は収束する作用も発散する作用も受けず、無収差のまま集光する。波長λ２の光束は、位相差板の光路差付与機能によって収束する又は発散する作用を受けるが依然として収差が残留しているために、専用領域を通過した光束は焦点位置に集光しない。この様子を示したのが図５（a）であり、ＣＤ，ＣＤ'は最終的なＣＤの球面収差の変化を示している。レンズと位相差板が一体化している場合には、一体化する前の仮想的な母非球面の屈折面は、図３（b）のように、波長λ１では球面収差がオーバー、波長λ２では球面収差がオーバーであるように形成されているのが良い。光路差付与機能で最終的に、波長λ１では球面収差が最適、波長λ２では球面収差がオーバーとなる。この様子を示したのが図５（b）であり、ＣＤ，ＣＤ'は最終的なＣＤの球面収差の変化を示している。光路差付与機能は回折構造とすることも可能である。
【００７２】
具体的には回折構造の場合、レンズ入射面において光軸からの垂直距離がｈである入射光線に対して、
【００７３】
【数６】
2004234839.tif 000008
【００７４】
m：回折次数、λ：使用波長 Ci：定数。少なくとも1つは  Ci≠0で表される光路長を付加するように形成されている。回折構造による回折作用を十分に得るためには、輪帯数が少なくては不十分であり、逆に多すぎると精度が低下して光学的性能を達成できなくなる。このような回折構造を形成する場合の輪帯数は、７〜１００、好ましくは１１〜３０である。
【００７５】
さらにまた専用領域Ｂは、屈折面だけから構成していてもよい。そうすると、光学素子の製造が容易になる。
【００７６】
なお、この第一の発明を、単一のレンズで実現したレンズの設計データを図１１〜１８に示す。専用領域は屈折面となっている。
【００７７】
図１１に示すのは、各輪帯の内周・外周半径と光軸方向の変位量である。図１２に示すのは、レンズデータであり、図１３に示す式は非球面形状式である。また図１４に示すのは非球面データである。
【００７８】
そして、このレンズによる球面収差の改善効果を図１５〜１８に示す。
【００７９】
図１５及び１６に示すのは、レンズ１に相当する「屈折機能」あるいは「仮想的な母非球面屈折面」の、ＤＶＤ／ＣＤ共用領域の球面収差である。これは図２（a）に仮想的に示したものと同様であり、ＣＤに関する縦球面収差はオーバーになり、ＤＶＤに関する縦球面収差はアンダーになっている。
【００８０】
これに対して、位相差板２に相当する「光路差付与機能」あるいは「光路差付与構造」を経た光束の、ＤＶＤ／ＣＤ共用領域の球面収差は、図１７及び１８に示すようになる。
【００８１】
図から明らかなとおり、ＣＤに関する縦球面収差はアンダーになり、ＤＶＤに関する縦球面収差はオーバーとなり、両方ともほぼ収差が最適となり、改善されている。
（第２の実施の形態）
次に、第２の本発明の光学的作用の概要について図１、図６乃至図７を用いて説明する。
【００８２】
これは請求項２または請求項２６の発明に関するものである。説明のために、別体と一体に分けて記す。
【００８３】
別体の場合を説明する。
【００８４】
レンズ１、位相差板２、及び図示しない光源の基本的構成に関しては第１の発明と同じであるため説明を省略するが、本例ではレンズ１、位相差板２の光学的作用が一部異なっている。
【００８５】
第２の発明におけるレンズ１は、図６（a）に示すように、共用領域Ａを通過したλ１の光束は、球面収差が無収差になるように形成されている。この場合、当然ながら、波長λ１＜λ２、保護基板厚ｔ１＜ｔ２の違いから、λ２の光束は球面収差がオーバーとなる。
【００８６】
そして第２の発明でも、位相差板２の段差量は、所定波長の略整数倍の光路差を生じ、かつ波面ずれが生じない長さに設定されているが、ここで所定波長は、λ１に設定してある。
【００８７】
この位相差板を通過した光束のうちλ１の波長の光束は、収束する作用も発散する作用も受けないため、屈折面はλ１の波長の光束が入射した場合に球面収差が最適であれば位相差板と対物レンズを通過した光束も球面収差が最適となる。λ２の波長の光束に対しては、位相差板による発散作用と位相差板の厚さの効果より、無収差となる。この様子を図示したのが図７（a）である。次に位相差板と対物レンズが一体化されている場合について、説明する。
【００８８】
仮想的な母非球面は、図６（b）に示すように、波長λ１の光束は球面収差がオーバーであるように形成する。そのとき当然ながら波長λ２の光束は球面収差がオーバーとなっている。波長λ１の光束は光路差付与機能により収束する作用も発散する作用も受けないが、光路差付与機能が加わると、光軸から同じ高さで対物レンズに入射する光線は位相差板の厚みが加わった分だけ物質中の距離は長くなり、アンダー側で光軸と交わって結果として無収差となる。一方、波長λ２の光束は波長λ２の光束は当初非球面によって球面収差がオーバーであったところ、位相差板の厚みの効果と光路差付与機能が加わり、球面収差は無収差となる。いずれの波長の光束も好適な球面収差を得ることが出来る。この様子を図示したのが図７（b）である。
【００８９】
一体の場合も別体の場合も、所定波長がλ１波長である場合に波長λ１、λ２で共に無収差となるための屈折面形状は特定される。共用領域の境界を通過する波長λ１の光線が、近軸光線が光軸と交わる位置から０．０２０ｍｍ以内の領域で交わるように設計されるのが望ましい。またこの発明の場合も第一の発明と同様、光路差付与機能あるいは光路差付与構造が回折構造によって形成されていても良い。そのときには屈折機能によって球面収差がオーバーとなる前記第２光源からの光束は、この回折構造によって無収差となるように構成されている。
【００９０】
専用領域Ｂは第１の発明と全く同様である。
（第３の実施の形態）
さらに、第３の本発明の光学的作用の概要について図１〜８乃至図９を用いて説明する。
【００９１】
これは請求項３または請求項２７の発明に関するものである。
【００９２】
レンズ１、位相差板２、及び図示しない光源の基本的構成に関しては第１の発明、第２の発明と同じであるため説明を省略するが、本例ではレンズ１、位相差板２の光学的作用が一部異なっている。説明のために、別体と一体に分けて記す。
【００９３】
別体の場合を説明する。端的に説明すれば第２の発明の場合と逆であり、第３の発明におけるレンズ１は、図８（a）に示すように、共用領域Ａを通過したλ１の光束は、球面収差がアンダーになり、λ２の光束は、球面収差が無収差になるような屈折面が形成されている。
【００９４】
そして第３の発明でも、位相差板２の段差量は、所定波長の略整数倍の光路差を生じ、かつ波面ずれが生じない長さに設定されているが、ここで所定波長はλ２に設定してある。位相差板を通過したλ２の波長の光束は、収束する作用も発散する作用も受けないため、位相差板と対物レンズを通過した光束も球面収差が最適となる。一方λ１の波長の光束は位相差板による発散作用と位相差板の厚さの効果より、無収差となる。この様子を図示したのが図９（a）である。次に位相差板と対物レンズが一体化されている場合について、説明する。仮想的な母非球面は、図８（b）に示すように、波長λ１の光束は球面収差がアンダーであるように形成する。そして波長λ２の光束は球面収差がオーバーとなっている。波長λ２の光束は光路差付与機能により収束する作用も発散する作用も受けないが、光路差付与機能が加わると、光軸から同じ高さで対物レンズに入射する光線は位相差板の厚みが加わった分だけ物質中の距離は長くなり、アンダー側で光軸と交わって結果として無収差となる。一方、波長λ１の光束は当初非球面によって球面収差がアンダーであったところ、位相差板の厚みの効果と光路差付与機能が加わり、球面収差は無収差となる。いずれの波長の光束も好適な球面収差を得ることが出来る。この様子を図示したのが図９（b）である。所定波長がλ２波長である場合に、波長λ１、λ２で共に無収差となるための屈折面形状は特定される。共用領域の境界を通過する波長λ１の光線が、近軸光線が光軸と交わる位置から０．０３０ｍｍ以内の領域で交わるように設計されるのが望ましい。
【００９５】
またこの発明の場合、光路差付与機能あるいは光路差付与構造が回折構造によって形成されている場合、屈折機能によって球面収差がアンダーとなる前記第１光源からの光束は、この回折構造によって無収差となるように構成されている。専用領域Ｂは第１の発明と全く同様である。
【００９６】
次に、請求項４９の発明について説明する。
【００９７】
位相差板２は第１〜３の発明と同様、光軸を中心とした複数の輪帯に分割され、また、隣り合う輪帯同士が、所定波長λｓの整数倍の光路差を生じるよう光軸方向に変位して形成されている。
【００９８】
レンズ１の屈折面が光軸を中心とした輪帯領域で大きく異なっている場合、各々の屈折面に対応した位相差板における領域では、光軸方向から離れるに従って光線の光路長が長くなるように形成されているため、第１の発明のごとく球面収差、波面収差共に補正されている。しかしながら全領域で見ると、必ずしも光軸方向から離れるに従って光線の光路長が長いとは限らない。
【００９９】
位相差板の輪帯数は第１〜３の発明と同様に少なくても多くても弊害があり、７以上１００以下が望ましい。
【図面の簡単な説明】
【０１００】
【図１】本発明に関わる光学系の、母非球面（屈折面）に相当する光学素子と、光路差付与構造（光路差付与機能）に相当する位相差板との位置関係を模式的に示したものである。
【図２】本発明に関わる第１の発明のＤＶＤ／ＣＤ共用領域において、屈折機能と光路差付与機能が別体素子に設けられている場合の、母非球面（屈折面）の縦球面収差を模式的に示したものである。本発明に関わる第１の発明のＤＶＤ／ＣＤ共用領域において、屈折機能と光路差付与機能が一体素子に設けられている場合の、ＤＶＤ／ＣＤ共用領域における母非球面（屈折面）の縦球面収差を模式的に示したものである。
【図３】本発明に関わる第１〜３の発明に共通のＤＶＤ専用領域において、屈折機能と光路差付与機能が別体素子に設けられている場合の、母非球面（屈折面）の縦球面収差を模式的に示したものである。本発明に関わる第１〜３の発明に共通のＤＶＤ専用領域において、屈折機能と光路差付与機能が一体素子に設けられている場合の、母非球面（屈折面）の縦球面収差を模式的に示したものである。
【図４】本発明に関わる第１の発明のＤＶＤ／ＣＤ共用領域において、屈折機能と光路差付与機能が別体素子に設けられている場合に、光路差付与構造（光路差付与機能）によって縦球面収差が無収差状態に近づけられる作用を模式的に示したものである。本発明に関わる第１の発明のＤＶＤ／ＣＤ共用領域において、ＤＶＤ／ＣＤ共用領域に対して屈折機能と光路差付与機能が一体素子に設けられている場合に、光路差付与構造（光路差付与機能）によって縦球面収差が無収差状態に近づけられる作用を模式的に示したものである。
【図５】本発明に関わる第１〜３の発明に共通のＤＶＤ専用領域において、屈折機能と光路差付与機能が別体素子に設けられている場合に、光路差付与構造（光路差付与機能）によって縦球面収差が無収差状態に近づけられる作用を模式的に示したものである。本発明に関わる第１〜３の発明に共通のＤＶＤ専用領域において、屈折機能と光路差付与機能が一体素子に設けられている場合に、光路差付与構造（光路差付与機能）によって縦球面収差が無収差状態に近づけられる作用を模式的に示したものである。
【図６】本発明に関わる第２の発明のＤＶＤ／ＣＤ共用領域において、屈折機能と光路差付与機能が別体素子に設けられている場合の、母非球面（屈折面）の縦球面収差を模式的に示したものである。発明に関わる第２の発明のＤＶＤ／ＣＤ共用領域において、屈折機能と光路差付与機能が一体素子に設けられている場合の、母非球面（屈折面）の縦球面収差を模式的に示したものである。
【図７】本発明に関わる第２の発明のＤＶＤ／ＣＤ共用領域において、屈折機能と光路差付与機能が別体素子に設けられている場合に、光路差付与構造（光路差付与機能）によって縦球面収差が無収差状態に近づけられる作用を模式的に示したものである。本発明に関わる第２の発明のＤＶＤ／ＣＤ共用領域において、ＤＶＤ／ＣＤ共用領域に対して屈折機能と光路差付与機能が一体素子に設けられている場合に、光路差付与構造（光路差付与機能）によって縦球面収差が無収差状態に近づけられる作用を模式的に示したものである。
【図８】本発明に関わる第３の発明のＤＶＤ／ＣＤ共用領域において、屈折機能と光路差付与機能が別体素子に設けられている場合の、母非球面（屈折面）の縦球面収差を模式的に示したものである。本発明に関わる第３の発明のＤＶＤ／ＣＤ共用領域において、屈折機能と光路差付与機能が一体素子に設けられている場合の、母非球面（屈折面）の縦球面収差を模式的に示したものである。
【図９】本発明に関わる第３の発明のＤＶＤ／ＣＤ共用領域において、屈折機能と光路差付与機能が別体素子に設けられている場合に、光路差付与構造（光路差付与機能）によって縦球面収差が無収差状態に近づけられる作用を模式的に示したものである。本発明に関わる第３の発明のＤＶＤ／ＣＤ共用領域において、ＤＶＤ／ＣＤ共用領域に対して屈折機能と光路差付与機能が一体素子に設けられている場合に、光路差付与構造（光路差付与機能）によって縦球面収差が無収差状態に近づけられる作用を模式的に示したものである。
【図１０】本発明に関わる光学系について、屈折機能と光路差付与機能が一体化して設けられている対物レンズの形状の一例である。
【図１１】本発明に関わる第１の発明の実施例。屈折機能と光路差付与機能が一体化した場合の対物レンズにおける、各輪帯の内周・外周半径と光軸方向の変位量である。
【図１２】本発明に関わる第１の発明の実施例。屈折機能と光路差付与機能が一体化した場合の対物レンズにおけるレンズデータである。
【図１３】本発明に関わる第１の発明の実施例。屈折機能と光路差付与機能が一体化した場合の対物レンズ形状を示す非球面係数形状式である。
【図１４】本発明に関わる第１の発明の実施例。屈折機能と光路差付与機能が一体化した場合の対物レンズ形状を示す非球面データである。
【図１５】本発明に関わる第１の発明の実施例。ＤＶＤ／ＣＤ共用領域におけるＣＤ波長の光束が母非球面（屈折面）を通過した際の縦球面収差図である。
【図１６】本発明に関わる第１の発明の実施例。ＤＶＤ／ＣＤ共用領域共用領域におけるＤＶＤ波長の光束が母非球面（屈折面）を通過した際の縦球面収差図である。
【図１７】本発明に関わる第１の発明の実施例。ＣＤ開口内領域におけるＣＤ波長の光束が光路差付与構造（光路差付与機能）によって無収差状態に近づけられた状態を示したものである。
【図１８】本発明に関わる第１の発明の実施例。ＤＶＤ開口内領域におけるにおけるＤＶＤ波長の光束が光路差付与構造（光路差付与機能）によって無収差状態に近づけられた状態を示したものである。
【符号の説明】
【０１０１】
１  レンズ
２  位相差板
【図１】
2004234839.tif 000013
【図２】
2004234839.tif 000014
【図３】
2004234839.tif 000015
【図４】
2004234839.tif 000016
【図５】
2004234839.tif 000017
【図６】
2004234839.tif 000018
【図７】
2004234839.tif 000019
【図８】
2004234839.tif 000020
【図９】
2004234839.tif 000021
【図１０】
2004234839.tif 000022
【図１１】
2004234839.tif 000023
【図１２】
2004234839.tif 000024
【図１３】
2004234839.tif 000025
【図１４】
2004234839.tif 000026
【図１５】
2004234839.tif 000027
【図１６】
2004234839.tif 000028
【図１７】
2004234839.tif 000029
【図１８】
2004234839.tif 000030